(57)【特許請求の範囲】
【請求項１】
繰出装置に肥料を供給し、該繰出装置の下部に連通した施肥ホース（３４）より施肥する施肥機において、前記施肥ホース（３４）内を貫通して、施肥ホース（３４）より突出する第一掻出用弾性体（２１）と、施肥ホース（３４）の内面に沿って摺接可能な第二掻出用弾性体（２２）を設け、該第一掻出用弾性体（２１）と第二掻出用弾性体（２２）を繰出装置の繰出駆動に連動して回転し、前記第一掻出用弾性体（２１）の中央部は直線状の棒体として、施肥ホース（３４）内を貫通し、下部はつる巻状のバネ部（２１ａ）とし、前記第二掻出用弾性体（２２）は螺旋状のバネにて構成し、下端は前記第一掻出用弾性体（２１）のバネ部（２１ａ）の上部まで延出したことを特徴とする施肥機の詰まり防止機構。
【請求項２】
前記第一掻出用弾性体（２１）の先端を施肥ホース（３４）の下部に連設した作溝器（３５）まで延設し、該第一掻出用弾性体（２１）の剛性を第二掻出用弾性体（２２）の剛性よりも大きくしたことを特徴とする請求項１記載の施肥機の詰まり防止機構。
【発明の詳細な説明】
【０００１】
【発明の属する技術分野】
本発明は、田植機に付設する施肥機において、施肥機の繰出装置下方に連通する施肥ホース内及び施肥部上方の詰まりを防止する技術に関する。
【０００２】
【従来の技術】
従来より田植機の植付部に施肥機を装着して植付と同時に施肥することは行われており、該施肥機は繰出装置の上部に肥料ホッパーを配置し、該肥料ホッパーの下部に繰出ケースを設け、該繰出ケースの下部に施肥ホースを配置し、該施肥ホースの下端をフロートに配置した作溝器後部に延設して、前記繰出装置を駆動させることによって、植付位置の側方に施肥する技術は公知となっている。
また、施肥装置により施肥する肥料は粒状の肥料を用いるが、肥料ホッパーに投入するときや肥料ホッパーから繰出ケースより繰り出されるとき等において、肥料同志やケースやロール等と擦れ合ったり、当接することによって一部が砕けたり、欠けたりして粉状の肥料が発生する。
この粉状の肥料は水分を吸収し易いために施肥ホースの落下途中で付着して詰まるおそれがあり、粒状の肥料のみ施肥できるように、繰出ケース下部に粉状の肥料のみを回収するようにした技術が、特開平７−８０４７により公知となっている。
また、施肥ホース内の詰まりを防止するために、施肥ホース内にバネを挿入した技術も公知となっている。例えば、特公平４−７６６４２の技術である。
【０００３】
【発明が解決しようとする課題】
しかし、前者の技術では肥料粉のみ取り出すようにするために、粒径よりも小さい目を有するフィルターが必要であり、このフィルターが大粒の粉や湿気等により目詰まりすると、施肥ホースに肥料粉も落下して詰まりが生じてしまうのである。よって、頻繁にフィルターの清掃を行う必要があり、完全に目が通るようにするには水洗い等が必要で手間がかかってしまう。また、砕けた肥料が多いと回収箱内の肥料粉の排出作業も頻繁に行う必要がある。また、剛性の高い鋼棒の基部を繰出軸に固定し、先端部のみを螺旋状に構成して、その先端を作溝部の肥料落下部に配置して、作溝器の近傍において肥料や泥等が付着して塊が生じないようにしていたが、施肥ホース部分は中途部を湾曲させているので、該施肥ホースの湾曲部分は鋼棒を螺旋状に構成して湾曲させることができず、付着した肥料を除去することはできなかった。
また、後者の技術では、施肥ホースの上端から作溝器までの間にバネを配置しているが、作溝器部分に塊が生じると前記バネでは剛性が低いためにその回転では完全に除去できず、かえってバネの回転を阻止するようになり、繰出装置の回転が不安定になることがあった。
【０００４】
【課題を解決するための手段】
本発明の解決しようとする課題は以上の如くであり、次にこの課題を解決するための手段を説明する。即ち、繰出装置に肥料を供給し、該繰出装置の下部に連通した施肥ホース（３４）より施肥する施肥機において、前記施肥ホース（３４）内を貫通して、施肥ホース（３４）より突出する第一掻出用弾性体（２１）と、施肥ホース（３４）の内面に沿って摺接可能な第二掻出用弾性体（２２）を設け、該第一掻出用弾性体（２１）と第二掻出用弾性体（２２）を繰出装置の繰出駆動に連動して回転し、前記第一掻出用弾性体（２１）の中央部は直線状の棒体として、施肥ホース（３４）内を貫通し、下部はつる巻状のバネ部（２１ａ）とし、前記第二掻出用弾性体（２２）は螺旋状のバネにて構成し、下端は前記第一掻出用弾性体（２１）のバネ部（２１ａ）の上部まで延出したものである。
【０００５】
また、前記第一掻出用弾性体（２１）の先端を施肥ホース（３４）の下部に連設した作溝器（３５）まで延設し、該第一掻出用弾性体（２１）の剛性を第二掻出用弾性体（２２）の剛性よりも大きくしたものである。
【０００６】
【発明の実施の形態】
次に、本発明の実施の形態を添付の図面を用いて説明する。
図１は本発明の施肥機の詰まり防止機構を有する田植機の全体側面図、図２は施肥機の側面図、図３は繰出装置の側面断面図、図４は作溝器部分の側面断面図、図５は排出バネ取付部の平面図、図６は同じく側面断面図である。
【０００７】
まず、図１を用いて全体構成から説明する。
走行機体１は、機体フレーム１０の前部に左右一対の前輪１１・１１をアクスルケースを介して支承し、後部に左右一対の後輪１２・１２をリアアクスルケースを介して支承している。機体フレーム１０前部上にエンジン４やバッテリーや燃料タンク等を載置してボンネット１３にて覆い、ボンネット１３後部のダッシュボード１４上にハンドル１５を突出している。
【０００８】
前記機体フレーム１０の後部上には座席２０が配置され、該機体フレーム１０の後部に昇降リンク機構３を介して植付部２が装着されている。該植付部２は昇降リンク機構３の基部に設けた油圧シリンダー５を伸縮することにより昇降可能としている。
また、前記植付部２は前記昇降リンク機構３の後部にヒッチを介して植付駆動ケース２４がローリング可能に装着され、該植付駆動ケース２４の後部に伝動ケース２５を複数突出して、該伝動ケース２５にロータリー式の植付爪２６・２６を取り付けている。また、植付駆動ケース２４の後部上に苗台レールを設けて苗載台２７を左右摺動可能に載置し、植付駆動ケース２４下方にサイドフロート２８とセンターフロート２９を配置している。
【０００９】
そして、苗載台２７の後部の伝動ケース２５上に施肥機７が配置されている。該施肥機７は図２、図３、図４に示すように、伝動ケース２５の後部上に支持フレーム３１を立設し、該支持フレーム３１上に繰出装置を配置している。繰出装置は繰出ケース３２内に繰出ロールを収容して、該繰出ロールの回転により一定量の肥料を繰り出す構成としている。該繰出ケース３２は斜めに固定されて、該繰出ケース３２の上側面に肥料ホッパー３３が固定されて連通し、前記繰出ケース３２の下部には施肥ホース３４が連通され、該施肥ホース３４の下端はフロートに固定した作溝器３５の後部に延設された作溝ガイドに連通している。
【００１０】
前記作溝器３５は前記植付爪２６により植え付けられる位置の側方の前に配置され、サイドフロート２８及びセンターフロート２９の裏面に固定される。そして、作溝器３５の後面に平面視コ字状の作溝ガイド３６を後方が開放されるように固設し、該作溝ガイド３６の上部に詰まりセンサー３７が配置され、上端はブーツ３９が固定され、該ブーツ３９の上部に前記施肥ホース３４が挿入されるのである。
【００１１】
次に繰出装置の内部構成について図３より説明する。
繰出ケース３２は略筒状に構成されて上下斜め方向に配置され、軸心部に排出駆動軸５０、その外側に中空の繰出軸５１、更にその外側に中空の外軸５２が回転自在に繰出ケース３２に支持されている。該外軸５２の上下中途部にはワンウェイクラッチ付のベベルギヤ４１・４２が固設され、該ベベルギヤ４１・４２は入力軸４３上に固設したベベルギヤと噛合されている。該入力軸４３は植付部２に複数配置した施肥機７の繰出ケース３２間に横架され、前記伝動ケース２５の後部より突出した動力取出軸４４よりアーム４５、リンク４６、ワンウェイクラッチ等を介して入力軸４３に動力を伝える構成としている。
【００１２】
前記外軸５２の上端にカム５３が固設され、前記繰出軸５１の上部に相対回転不能、かつ、摺動可能に摺動カム５４が外嵌され、該摺動カム５４は繰出ケース３２に支持した切替レバー５５の回動によって摺動でき、該摺動カム５４の摺動によって前記カム５３と摺動カム５４のカム部が噛合または解除できるようにしている。このようにして条止めクラッチを構成している。
【００１３】
そして、前記繰出軸５１の上端にはプレート５６が固定され、該プレート５６に複数のプラネタリギヤ５７・５７・５７が回転自在に支持され、該前記プラネタリギヤ５７・５７・５７は繰出ケース３２の上部内面に形成したインターナルギヤ５８と排出駆動軸５０の上端に固設したサンギヤ５９と噛合している。
このようにして繰出軸５１より遊星歯車式の増速機構を介して排出駆動軸５０に動力を伝える構成としている。
【００１４】
また、前記繰出ケース３２の下部には三枚の円板状の上繰出ロール６０と中繰出ロール６１と下繰出ロール６２が配置され、それぞれのロール上には繰出用の孔が開口され、上繰出ロール６０と下繰出ロール６２は繰出ケース３２に固定され、中繰出ロール６１は繰出軸５１の下部に固定されている。
そして、前記繰出軸５１を回転駆動させることによって、上繰出ロール６０の繰出孔から中繰出ロール６１の繰出孔に肥料が入り、中繰出ロール６１が回転されて、下繰出ロール６２の繰出孔と一致すると肥料が施肥ホース３４内へ落下して一定量ずつ繰り出されるのである。３２ａは排出孔であり、通常はキャップにて閉じている。そして、本発明の第一・第二掻出用弾性体２１・２２によって作溝器３５まで強制的に肥料を送る構成としている。
【００１５】
即ち、前記第一掻出用弾性体２１は鋼棒の上部を図６の如く折り曲げて前記排出駆動軸５０の下端に取付ボス６３、取付バネ６４を介して固定され、中央部は直線状の棒体として施肥ホース３４内を貫通し、下部は図４に示すように、つる巻状のバネ部２１ａとしてブーツ３９及び作溝ガイド３６内に配置して、下端を作溝器３５の後部上までまで延出している。
【００１６】
また、前記第二掻出用弾性体２２は螺旋状のバネにて構成され、図３、図５、図６に示すように、上端を前記取付ボス６３の外周に固定し、中途部は施肥ホース３４の内径より若干小さな径としして、施肥ホース３４内で回転自在で、施肥ホース３４内面に摺接するように配置し、下端は前記第一掻出用弾性体２１のバネ部２１ａの上部まで延出している。
そして、前記第一掻出用弾性体２１の剛性は第二掻出用弾性体２２の剛性よりも大きくしている（第一掻出用弾性体２１の剛性＞第二掻出用弾性体２２の剛性）。好ましくは、第一掻出用弾性体２１の剛性は人手では容易に曲げられない程度に大きく、第二掻出用弾性体２２の剛性は人手で容易に曲げられる程度に小さくする。
【００１７】
このように構成することによって、前記入力軸４３から外軸５２に動力が伝えられて条止めクラッチを介して繰出軸５１が駆動され、中繰出ロール６１が駆動されて、肥料を繰り出すと同時に、前記条止めクラッチより遊星歯車機構を介して排出駆動軸５０が駆動されて、第一掻出用弾性体２１及び第二掻出用弾性体２２が回動駆動される。
【００１８】
そして、第二掻出用弾性体２２は剛性が小さいために施肥ホース３４の屈曲形状に合わせて曲がり、第二掻出用弾性体２２の回動によって、施肥ホース３４内面にたとえ肥料が付着しても、施肥ホース３４の内面に摺接しながら回転しているので、掻き落とされ、さらに、第二掻出用弾性体２２は螺旋形状であるから送り作用によって、強制的に肥料を下方に送るのである。
そして、施肥ホース３４の下端部を抜けたブーツ３９及び作溝ガイド３６内においては、第一掻出用弾性体２１は剛性が大きいために下方へ延出したバネ部２１ａにおいても回転駆動することが可能であり、その回転によって、ブーツ３９や作溝ガイド３６の内周面に付着した肥料を掻き落とすのである。
【００１９】
【発明の効果】
本発明は以上の如く構成したので、以下の効果を奏するものである。
請求項１の如く、繰出装置に肥料を供給し、該繰出装置の下部に連通した施肥ホース（３４）より施肥する施肥機において、前記施肥ホース（３４）内を貫通して、施肥ホース（３４）より突出する第一掻出用弾性体（２１）と、施肥ホース（３４）の内面に沿って摺接可能な第二掻出用弾性体（２２）を設け、該第一掻出用弾性体（２１）と第二掻出用弾性体（２２）を繰出装置の繰出駆動に連動して回転し、前記第一掻出用弾性体（２１）の中央部は直線状の棒体として、施肥ホース（３４）内を貫通し、下部はつる巻状のバネ部（２１ａ）とし、前記第二掻出用弾性体（２２）は螺旋状のバネにて構成し、下端は前記第一掻出用弾性体（２１）のバネ部（２１ａ）の上部まで延出したので、繰出の動作に連動して第一・第二掻出用弾性体が回動駆動され、第二掻出用弾性体の回転により施肥ホース内面に付着した肥料を掻き落とすことができて、施肥ホース内の詰まりを防止できる。また、第一掻出用弾性体によって施肥ホース先端部においても付着した肥料を掻き落とすことができ、繰出装置から繰り出した肥料を確実に施肥位置まで落下させることができる。
【００２０】
また、請求項２の如く、前記第一掻出用弾性体（２１）の先端を施肥ホース（３４）の下部に連設した作溝器（３５）まで延設し、該第一掻出用弾性体（２１）の剛性を第二掻出用弾性体（２２）の剛性よりも大きくしたので、第一掻出用弾性体の回動によって、作溝機後部に付着する肥料を掻き落とすことができ、該第一掻出用弾性体の剛性を第二掻出用弾性体の剛性よりも大きくしたので、第二掻出用弾性体は施肥ホースの屈曲に合わせて屈曲して掻き落とし回動が可能となり、第一掻出用弾性体は駆動基部より遠くに位置する部分でも剛性が大きいため掻き落とし駆動が可能となる。
また、第二掻出用弾性体は施肥ホース内の肥料粉の付着防止が目的なので、付着した粉の除去は剛性が小さくても容易に掻き落とすことができ、むしろ剛性が小さい方が施肥ホースの屈曲に対して追従して施肥ホース内径に沿い易くなり、掻き残し部分がなくなり、確実に施肥ホース内の詰まりを除去して肥料を落下させることができるのである。
また、施肥ホース先端の肥料出口付近は、水面近くに位置するので、作業時には水や泥が飛び散って内壁に付着し、この付着した飛沫や泥に肥料が付着しこびり付き易いのであるが、剛性を大きくした第一掻出用弾性体がこの作溝器後部に配置されて回動されるので、こびりついた肥料や泥等は容易に除去でき、堆積することがなく、詰まりも生じることがないのである。
【図面の簡単な説明】
【図１】  本発明の施肥機の詰まり防止機構を有する田植機の全体側面図である。
【図２】  施肥機の側面図である。
【図３】    繰出装置の側面断面図である。
【図４】  作溝器部分の側面断面図である。
【図５】  排出バネ取付部の平面図である。
【図６】  同じく側面断面図である。
【符号の説明】
７    施肥機
２１  第一掻出用弾性体
２２  第二掻出用弾性体
３２  繰出ケース
３４  施肥ホース
３５  作溝器
５０  排出駆動軸
【図１】
0003917773.tif 000002
【図２】
0003917773.tif 000003
【図３】
0003917773.tif 000004
【図４】
0003917773.tif 000005
【図５】
0003917773.tif 000006
【図６】
0003917773.tif 000007